(57)【要約】【課題】１人では時間を要するが複数人が協力するほど早く潮吹き状の噴泉を上げることができ、水を介して円滑なコミニュケーションや協力意識の醸成を計ることができ、空気のパワーや水に関する色々な実体験により達成感や空気の可能性を感得することができる潮吹き岩施設を提供する。【解決手段】潮吹き岩施設Ａを、下部が水中に没設された潮吹き岩部１と、この潮吹き岩部１内に配設された噴水装置Ｆと、上記潮吹き岩部１と対峙する陸上位置Ｂに配設された複数基の手動式空気圧送装置Ｐ、とから構成し、上記複数基の手動式空気圧送装置Ｐを複数人で作動させることで、空気を上記噴水装置Ｆ内へと圧送して貯留し、この貯留された空気量が一定以上となったときに、該貯留された空気を噴水装置Ｆ外へと放出し、この放出された空気圧によって水を潮吹き岩部１に開設された噴水口４，５から勢い良く噴射させるように構成した。【選択図】図２
2005074290.tif 000002
【特許請求の範囲】
【請求項１】
下部が水中に没設された潮吹き岩部と、この潮吹き岩部内に配設された噴水装置と、上記潮吹き岩部と対峙する陸上位置に配設された複数基の手動式空気圧送装置、とから構成されてなり、上記複数基の手動式空気圧送装置を複数人で作動させることで、空気を上記噴水装置内へと圧送して貯留し、この貯留された空気量が一定以上となったときに、該貯留された空気を噴水装置外へと放出し、この放出された空気圧によって水を潮吹き岩に開設された噴水口から勢い良く噴射させるように構成したことを特徴とする潮吹き岩施設。
【請求項２】
前記潮吹き岩部は、列島状に複数の山部と、該山部の頂部に夫々開設された噴水口と、から構成されてなり、夫々の噴水口の下部に前記噴水装置が配設され、かつ、これら各噴水装置に前記手動式空気圧送装置が連通接続されていることを特徴とする請求項１に記載の潮吹き岩施設。
【請求項３】
前記噴水装置は、円筒状のハウジング部と、このハウジング部内に配設され空気を溜める断面略凹状の小容器部と、この小容器部内に配設される断面略凹状であって小容器部よりも大き目の容器部と、該容器部の天井開口部に連通接続されたエアー導出筒部と、から構成されてなり、上記エアー導出筒部は、前記容器部の天井開口部からハウジング部の上部に突出し、かつ、スライド自在に取り付けられ、かつ、該エアー導出筒部の上端部は、水面と略面一となるようにセットし、前記手動式空気圧送装置から圧送されてきた空気が、前記空気路の終端部から先ず小容器部へと送り込むことで、該容器部をその浮力により上昇させ、前記エアー導出筒部の下端部に開設されたエアー用孔が容器部の天井部に開設されたガイド穴の内周面と摺接して閉じられた後、引き続き上記空気路から供出される空気が小容器部から容器部内へと送られて該容器部に溜められ、小容器部及び容器部内の空気による浮力が、容器部の上部に取り付けられた錘の重量に打ち勝つと、容器部が上昇するが、小容器部は、エアー導出筒部に配設されたストッパーが前記ハウジングに取り付けられた蓋部と衝合させることで、上記エアー導出筒部の下端部に開設された前記エアー用孔が上記ガイド穴から開放されるため、該容器部内に溜められた空気が一気に上記エアー用孔からエアー導出筒部へと放出されるように構成したことを特徴とする請求項１又は請求項２のいずれかに記載の潮吹き岩施設。
【発明の詳細な説明】
【技術分野】
【０００１】
この発明は、子供達が協力して噴水を上げることができる手動式のミニ噴水火山的な水遊戯用の潮吹き岩施設に関する。
【背景技術】
【０００２】
従来の噴水装置は、特許文献１乃至３に示すように、エアーポンプを利用した自動噴水装置が殆どであり、鑑賞するだけのものであった。このため、子供にとっては、どのような仕組みで噴水が上がるのかといった興味や遊ぶ楽しさ等を体得することができない施設であり、水に関する色々な実体験により達成感や水の可能性を感得することができるものではなかった。
【０００３】
【特許文献１】特開２００１−２９３４０９号公報
【０００４】
【特許文献２】特開２００１−２４６２９６号公報
【０００５】
【特許文献３】特開平９−０１０６４４号公報
【発明の開示】
【発明が解決しようとする課題】
【０００６】
この発明は、かかる現状に鑑み創案されたものであって、その目的とするところは、１人よりは２人、２人よりは３人というように、１人では時間を要するが複数人が協力するほど早く潮吹き状の噴泉を上げることができ、水を介して円滑なコミニュケーションや協力意識の醸成を計ることができ、空気のパワーや水に関する色々な実体験により達成感や空気の可能性を感得することができると共に、大小の火山噴出口が水上に列をなす自然界の列島模写による鑑賞をも楽しむことができる潮吹き岩施設を提供しようとするものである。
【課題を解決するための手段】
【０００７】
上記目的を達成するため、請求項１に記載の本発明は、潮吹き岩施設を、下部が水中に没設された潮吹き岩部と、この潮吹き岩部内に配設された噴水装置と、上記潮吹き岩部と対峙する陸上位置に配設された複数基の手動式空気圧送装置、とから構成されてなり、上記複数基の手動式空気圧送装置を複数人で作動させることで、空気を上記噴水装置内へと圧送して貯留し、この貯留された空気量が一定以上となったときに、該貯留された空気を噴水装置外へと放出し、この放出された空気圧によって水を潮吹き岩に開設された噴水口から勢い良く噴射させるように構成したことを特徴とする。
【０００８】
請求項２に記載の本発明は、請求項１に記載の潮吹き岩施設において、前記潮吹き岩部は、列島状に複数の山部と、該山部の頂部に夫々開設された噴水口と、から構成されてなり、夫々の噴水口の下部に前記噴水装置が配設され、かつ、これら各噴水装置に前記手動式空気圧送装置が連通接続されていることを特徴とする。
【０００９】
請求項３に記載の本発明は、前記噴水装置を、円筒状のハウジング部と、このハウジング部内に配設され空気を溜める断面略凹状の容器部と、この容器部内に配設される断面略凹状の小容器部と、該小容器部の天井開口部に連通接続されたエアー導出筒部と、から構成し、上記エアー導出筒部は、前記容器部の天井開口部からハウジング部の上部に突出した状態でスライド自在に取り付けられ、かつ、該エアー導出筒部の上端部は、水面と略面一となるようにセットし、前記手動式空気圧送装置から圧送されてきた空気が、前記空気路の終端部から先ず小容器部へと送り込むことで、該容器部をその浮力により上昇させ、前記エアー導出筒部の下端部に開設されたエアー用孔が容器部の天井部に開設されたガイド穴の内周面と摺接して閉じられた後、引き続き上記空気路から供出される空気が小容器部から容器部内へと送られて該容器部に溜められ、小容器部及び容器部内の空気による浮力が、容器部の上部に取り付けられた錘の重量に打ち勝つと、容器部が上昇するが、小容器部は、エアー導出筒部に配設されたストッパーが前記ハウジングに取り付けられた蓋部と衝合させることで、上記エアー導出筒部の下端部に開設された前記エアー用孔が上記ガイド穴から開放されるため、該容器部内に溜められた空気が一気に上記エアー用孔からエアー導出筒部へと放出されるように構成したことを特徴とする。
【発明の効果】
【００１０】
以上説明したように、請求項１に記載の本発明にあっては、潮吹き岩施設を、下部が水中に没設された潮吹き岩部と、この潮吹き岩部内に配設された噴水装置と、上記潮吹き岩部と対峙する陸上位置に配設された複数基の手動式空気圧送装置、とから構成されてなり、上記複数基の手動式空気圧送装置を複数人で作動させることで、空気を上記噴水装置内へと圧送して貯留し、この貯留された空気量が一定以上となったときに、該貯留された空気を噴水装置外へと放出し、この放出された空気圧によって水を潮吹き岩に開設された噴水口から勢い良く噴射させるように構成したので、１人では時間を要するが複数人が協力するほど早く潮吹き状の噴泉を上げることができ、水を介して円滑なコミニュケーションや協力意識の醸成を計ることができ、空気のパワーや水に関する色々な実体験により達成感や空気の可能性を感得することができ、水と空気を利用した教育を効果的に実施することができる。
【００１１】
請求項２に記載の本発明は、前記潮吹き岩部は、列島状に複数の山部と、該山部の頂部に夫々開設された噴水口と、から構成されてなり、夫々の噴水口の下部に前記噴水装置が配設され、かつ、これら各噴水装置を前記手動式空気圧送装置に連通接続して構成したので、大小の火山噴出口が水上に列をなす自然界の列島模写による鑑賞をも楽しむことができる。
【００１２】
請求項３に記載の本発明は、前記噴水装置を、円筒状のハウジング部と、このハウジング部内に配設され空気を溜める断面略凹状の容器部と、この容器部内に配設される断面略凹状の小容器部と、該小容器部の天井開口部に連通接続されたエアー導出筒部と、から構成されてなり、上記エアー導出筒部は、前記容器部の天井開口部からハウジング部の上部に突出した状態でスライド自在に取り付けられ、かつ、該エアー導出筒部の上端部は、水面と略面一となるようにセットし、前記手動式空気圧送装置から圧送されてきた空気が、前記空気路の終端部から先ず小容器部へと送り込むことで、該容器部をその浮力により上昇させ、前記エアー導出筒部の下端部に開設されたエアー用孔が容器部の天井部に開設されたガイド穴の内周面と摺接して閉じられた後、引き続き上記空気路から供出される空気が小容器部から容器部内へと送られて該容器部に溜められ、小容器部及び容器部内の空気による浮力が、容器部の上部に取り付けられた錘の重量に打ち勝つと、容器部が上昇するが、小容器部は、エアー導出筒部に配設されたストッパーが前記ハウジングに取り付けられた蓋部と衝合させることで、上記エアー導出筒部の下端部に開設された前記エアー用孔が上記ガイド穴から開放されるため、該容器部内に溜められた空気が一気に上記エアー用孔からエアー導出筒部へと放出されるように構成したので、簡単な構成により潮吹き状態を確実に演出することが可能となり、また、構成が簡易なため故障も少なくランニングコストも低減できる、という効果が得られる。
【発明を実施するための最良の形態】
【００１３】
以下、添付図面に示す発明の実施の形態例に基づき、この発明を詳細に説明する。
【実施例１】
【００１４】
図１乃至図８は、この発明の実施例１に係る潮吹き岩施設Ａを示しており、図１は当該施設Ａの平面配置図を、図２は同施設Ａの斜視図を、図３は同施設の空気圧送装置Ｐの配置状態を示す断面図を、図４は同施設Ａの噴水装置Ｆの配置状態を示す断面図を、図５は同噴水装置Ｆの断面図を、図６は同噴水装置Ｆの平面図を、図７は同噴水装置Ｆの側面図を、図８は同噴水装置Ｆのパーツ構成を示す分解断面図である。
【００１５】
即ち、この実施例１に係る潮吹き岩施設Ａは、図示例では、下部が水中に没設された潮吹き岩部１と、この潮吹き岩部１内に配設された噴水装置Ｆと、上記潮吹き岩部１と対峙する陸上位置Ｂに配設された複数基の手動式空気圧送装置Ｐ、とから構成されている。尚、図中符号Ｗは、潮吹き岩部１が配設された水域を示しており、該潮吹き岩部１の下部は、該水域の水中に没設されている。また、この実施例１に係る潮吹き岩部１と手動式空気圧送装置Ｐの台座部は、ＦＲＰ樹脂をプールコート塗装仕上げして耐久性が得られるように構成されている。
【００１６】
本実施例１に用いられる潮吹き岩部１は、列島状に複数の山部２，３と、該山部２，３の頂部に夫々開設された噴水口４，５と、から構成されてなり、夫々の噴水口４，５の下部に前記噴水装置Ｆが配設され、かつ、これら各噴水装置Ｆを前記手動式空気圧送装置Ｐに連通接続させることで、大小の火山噴出口２，３が水上に列をなす恰もハワイ列島を模写した情景を楽しむことができるように構成されている。
【００１７】
また、この実施例１に係る手動式空気圧送装置Ｐは、特に図３に示すように、エアーシリンダ１０と、このエアーシリンダ１０にスライド自在に嵌装されたシリンダロッド１１と、該シリンダロッド１１の握り手部に装着されたゴムグリップ１２と、から構成されており、上記シリンダロッド１１を上下方向にスライドさせることでエアーシリンダ１０内の空気が空気路１３を通って噴水装置Ｆへと圧送されるように構成されている。尚、図中符号１４は、台座部１５に開閉自在に設けられたメンテナンス窓部を、符号１６はスポンジフィルタを、符号１７，１８は逆止弁を夫々示している。
【００１８】
さらに、この実施例１に係る上記噴水装置Ｆは、図４乃至図８に示すように、底部が水域Ｗの床面６に固定された円筒状のハウジング部２０と、このハウジング部２０内に配設され空気を溜める断面略凹状の容器部２１と、この容器部２１内に配設される断面略凹状の小容器部２２と、該小容器部２２の天井開口部に連通接続されたエアー導出筒部２３と、から構成されており、上記エアー導出筒部２３は、前記容器部２１の天井開口部２４からハウジング部２０の上部に突出するように取り付けられ、かつ、該エアー導出筒部２３の上端部は、水面ＷＬと略面一となるようにセットされる。尚、図中符号２５は、容器部２１の天井部に調整自在に取り付けられる錘を、２６は、容器部２１及び小容器部２２をハウジング部２０内に封入する蓋部を、２７はスペーサを、２８は上記エアー導出筒部２３の下端部の外周に沿って所要間隔毎に開設された複数のエアー用孔を夫々示している。
【００１９】
それ故、この実施例１に係る噴水装置Ｆにあっては、手動式空気圧送装置Ｐから圧送されてきた空気が、前記空気路１３の終端部から先ず小容器部２２へと送り込まれるため、該小容器部２２はその浮力により上昇し、前記エアー用孔２８が小容器部２２の天井部に開設されたガイド穴２１Ａの内周面と摺接して閉じられ、引き続き上記空気路１３から供出される空気は、小容器部２２内一杯に溜められた後、容器部２１へと流れて該容器部２１内に溜められる。
【００２０】
このようにして容器部２１及び小容器部２２内の空気による浮力が、容器部２１の上部に取り付けられた錘２５の重量に打ち勝つと、容器部２１は上昇するが、小容器部２２は、エアー導出筒部２３に配設されたストッパー２３Ａが前記蓋部２６に衝合するため、上記エアー導出筒部２３の下端部に開設された前記エアー用孔２８が上記ガイド穴２１Ａから開放されるため、小容器部２２内に溜められた空気が一気に上記エアー用孔２８からエアー導出筒部２３へと放出されるので、この放出された空気によって水が勢い良く噴水口４，５から噴出される。
【００２１】
この実施例１に係る潮吹き岩施設Ａは、以上のように構成されているので、１人よりは２人、２人よりは３人というように、１人では時間を要するが複数人が協力して手動式空気圧送装置Ｐで空気を素早く大量に噴水装置Ｆへと送り込むことで、意外な高さまで潮吹き状の噴泉を上げることができるので、水を介して円滑なコミニュケーションや協力意識の醸成を達成することができ、空気のパワーや水に関する色々な実体験により達成感や空気の可能性を感得することができると共に、大小の火山噴出口が水上に列をなす自然界の列島模写による鑑賞をも楽しむことができる。
【００２２】
尚、上記のように構成された潮吹き岩施設Ａでは、子供たちが協力して空気を送り込むことで、潮吹き状態を楽しむことができるように構成したが、例えば、イベントや夜間等に利用する場合には、上記噴水装置への空気の圧送を自動的に行うことができるように選択可能に構成し、自動的に間欠泉を吹き上げらせ、これをライトアップする等ような演出もできるように構成してもよい。
【図面の簡単な説明】
【００２３】
【図１】この発明の実施例１に係る潮吹き岩施設の平面配置図である。
【図２】同施設の斜視図である。
【図３】同施設の空気圧送装置の配置状態を示す断面図である。
【図４】同施設の噴水装置の配置状態を示す断面図である。
【図５】同噴水装置の断面図である。
【図６】同噴水装置の平面図である。
【図７】同噴水装置の側面図である。
【図８】同噴水装置のパーツ構成を示す分解断面図である。
【符号の説明】
【００２４】
Ａ  潮吹き岩施設
Ｆ  噴水装置
Ｐ  手動式空気圧送装置
ＷＬ  水面
１  潮吹き岩部
２，３  火山噴出口
１０  エアーシリンダ
１３  空気路
２０  ハウジング部
２１  容器部
２２  小容器部
２３  エアー導出筒部
２５  錘
２６  蓋部
２８  エアー用孔
【図１】
2005074290.tif 000003
【図２】
2005074290.tif 000004
【図３】
2005074290.tif 000005
【図４】
2005074290.tif 000006
【図５】
2005074290.tif 000007
【図６】
2005074290.tif 000008
【図７】
2005074290.tif 000009
【図８】
2005074290.tif 000010